(57)【要約】【課題】  製造簡単で発泡液が漏出することがないフレーム付表皮一体発泡品を提供することである。【手段】  袋状の表皮１の開口部Ａを構成する一方の端末部１１と、この一方の端末部１１に接合する他方の端末部１０と、前記端末部１１の内側に延設した折返片１１Ａと、他方の端末部１０より延設して折返片１１Ａに重ね合わせる舌状片の三部材の左右両端部を一体に縫着し、この縫着した間に、フレーム３の両脚部３０、３０´を挿通する挿通部Ｂ、Ｂを設けたことを特徴とする。【選択図】          図１
2007195768.tif 000002
【特許請求の範囲】
【請求項１】
袋状の表皮内に両脚部が外部に突出するようにフレームを挿入して表皮内にパッド発泡成形用の発泡液を注入して表皮、フレームにパッドを一体に発泡成形して製造する表皮一体発泡品において、
前記フレームを表皮内に挿入する開口部は一方の端末部と、この一方の端末部に接合する他方の端末部と、前記一方の端末部より延設して一方の端末部の内側に折り返された折返片と、前記他方の端末部より延長して折返片の内側に重ね合わせた舌状片とからなり、前記一方の端末部と折返片と舌状片の両端部は一体に縫着され、この両縫着個所間に、前記フレームの両脚部を外部に突出させる挿通孔を開孔してなるフレーム付表皮一体発泡品。
【請求項２】
前記一方の端末部と折返片と舌状片とが重なり合う部分に、前記発泡液注入用の注入孔を設けてなる請求項１記載のフレーム付表皮一体発泡品。
【発明の詳細な説明】
【技術分野】
【０００１】
本発明は自動車用シートに備えるヘッドレスト、アームレストなどのフレーム付表皮一体発泡品に関する。
【背景技術】
【０００２】
従来の例えばヘッドレストには袋状に縫製した表皮に、略Ｕ字状に折曲したパイプ製のステー(フレーム)の一部を外部に突出させるように挿入した後、表皮内に、パッド発泡成形用の発泡液を注入して、表皮、表皮内のステーにパッドを一体に発泡成形して製造するものがある。
【０００３】
以上の表皮にはステーを挿入する開口部が開口され、この開口部からパッド発泡成形用の発泡液の外部への漏出を防止するために、特公平５−３５０５２号公報に開示されているように、開口部を塞いで開口部の他端縁に重ね合わされる覆片を設けている。
【０００４】
【特許文献１】特公平５−３５０６２号公報
【発明の開示】
【発明が解決しようとする課題】
【０００５】
ところで、前記従来品は表皮に設けた開口部の一端縁に、開口部を塞ぎ内側に折り返される覆片を設けて、表皮内に注入した発泡液の漏出を防止している。
【０００６】
しかし、表皮は柔軟性を有する部材で、袋状に縫製されているため、前記従来品の如く、開口部に覆片を設けても、開口部周囲の表皮の柔軟性により、開口部から発泡液が漏出する不具合があった。
【０００７】
そこで、本発明は袋状の表皮に設けたフレーム挿入用の開口部からパッド発泡成形用の発泡液が漏出することがないようにすることを目的とする。
【課題を解決するための手段】
【０００８】
以上の目的を達成するための本発明に係るフレーム付表皮一体発泡品は、袋状の表皮内に両脚部が外部に突出するようにフレームを挿入して表皮内にパッド発泡成形用の発泡液を注入して表皮、フレームにパッドを一体に発泡成形して製造する表皮一体発泡品において、前記フレームを表皮内に挿入する開口部は一方の端末部と、この一方の端末部に接合する他方の端末部と、前記一方の端末部より延設して一方の端末部の内側に折り返された折返片と、前記他方の端末部より延長して折返片の内側に重ね合わせた舌状片とからなり、前記一方の端末部と折返片と舌状片の両端部は一体に縫着され、この両縫着個所間に、前記フレームの両脚部を外部に突出させる挿通孔を開孔してなる構成である。
【０００９】
また、前記一方の端末部と折返片と舌状片とが重なり合う部分に、前記発泡液注入用の注入孔を設けることにより、注入孔からの発泡液の漏出を防止できる。
【発明の効果】
【００１０】
本発明によれば、フレームの両脚部を挿通孔に挿通することにより、開口部を構成する一方の端末部と折返部と舌状片は水平方向にたるみなく張設され、上下方向に重なり合う一方の端末部、折返部、舌状片は重なり合う状態が保持される。
【００１１】
そのため、開口部からのパッド発泡成形用の発泡液の外部への漏出を完全に防止したフレーム付表皮一体発泡品を提供できる。
【発明を実施するための最良の形態】
【００１２】
以下、本発明の実施例を図面に基づいて説明する。
【００１３】
図１は本発明に係るフレーム付表皮一体発泡品である自動車用シートに取付けられるヘッドレストを示し、図中１は袋状に縫製した表皮、２はこの表皮１内にパッド発泡成形用の発泡液を注入して表皮１及び表皮１内に挿入したフレームであるステー３と一体に発泡したパッドを各々示す。
【００１４】
以上のステー３は略Ｕ字状に折曲され、その両脚部３０、３０´はヘッドレストの底部より下方に突出している。この両脚部３０、３０´はシートのシートバック(不図示)の頂部に取付けられる。
【００１５】
図中Ａは表皮１内にステー３を挿入する開口部Ａで、この開口部Ａはヘッドレストの底部を被覆する表皮の一方の端末部１１と、この端末部１１に接合する他方の端末部１０との間に設けてあり、一方の端末部１１にはこの端末部１１の内側に折り返した折返片１１Ａが延設されている。
【００１６】
また、他方の端末部１０には前記折返片１１Ａの内側に重ね合わせる舌状片１０Ａが延設されている。
【００１７】
この三重に重なり合う一方の端末部１１、折返部１１Ａ、舌状片１０Ａには上下方向に連通する挿通孔Ｂ、Ｂが開孔され、この各挿通孔Ｂ、Ｂに前記ステー３の両脚部３０、３０´が各々挿通されている。
【００１８】
このステー付のヘッドレストは図２に示す状態で成形型(不図示)内に収容して前記パッド２を発泡成形する。
【００１９】
以上の一方の端末部１１と他方の端末部１０には、ヘッドレストの底部の左右幅と略同一の幅で、前、後に配設され、その両端末部１１、１０間にステー３を挿入する開口部Ａが左右方向に設けてある。
【００２０】
そして、ステー３の両脚部３０、３０´を挿通する各挿通孔Ｂ、Ｂの外側における一方の端末部１１、折返片１１Ａ、舌状片１０Ａの重なり合う部分は縫糸イ、イで一体に縫着されている。
【００２１】
従って、この左右の縫い合わせ部分間の端末部１１、折返片１１Ａ、舌状片１０Ａは一体に縫着されておらず、この部分又は前記挿通孔Ｂ、Ｂよりステー３を表皮１内に挿入する。
【００２２】
そして、図３に示すように、ステー３の両脚部３０、３０´を挿通孔Ｂ、Ｂより各々挿通することにより、両脚部３０、３０´間の端末部１１、折返片１１Ａ、舌状片１０Ａの重なり合い、縫着されていない部分は図３における水平方向に引っ張られるため、前記重なり合う部分にたるみなどが生じない。
【００２３】
また、重なり合う部分は上下方向に隙間が生じることなく重なる。
加えて、端末部１１、折返片１１Ａ、舌状片１０Ａの重なり合う両端部は一体に縫糸イで縫着されている。
【００２４】
そのため、表皮１の底面部に設けた注入孔１８より表皮１内にパッド発泡成形用の発泡液を注入してパッド２を表皮１、ステー３と一体に成形すると、開口部Ａ、挿通孔Ｂ、Ｂから外部に発泡液が外部に漏出することのない図１のヘッドレストを製造できる。
【００２５】
図４は、表皮１内に発泡液を注入するための注入孔１８を、端末部１１、折返部１１Ａ、舌状片１０Ａの重なり合う部分に設けてヘッドレストを製造するものを示す。
【００２６】
斯様な部位に設けることにより、発泡液の注入時に注入孔１８に注入用のノズルを挿込むため、ステー３の両脚部３０、３０´とノズルとにより、発泡液注入時の表皮１の開口部Ａが安定する。
【００２７】
従って、端末部１１、折返片１１Ａ、舌状片１０Ａの重なり合う部分における注入孔１８を挿通孔Ｂ、Ｂ´間に設けることにより、パッド発泡成形時における開口部Ａ、注入孔18からの発泡液の漏出を防止できるヘッドレストが提供できる。
【００２８】
なお、図示するものはヘッドレストであるが、アームレストなど、フレーム、表皮にパッドを一体発泡するものにも応用できる。
【図面の簡単な説明】
【００２９】
【図１】本発明に係るヘッドレストの断面図である。
【図２】図１のヘッドレストにおいて、パッド発泡成形用の発泡液を注入する前            の状態の部分切欠斜視図である。
【図３】図２の部分断面図である。
【図４】図２の状態の他の実施例を示す。
【符号の説明】
【００３０】
１…表皮、２…パッド、３…フレームたるステー、３０…ステーの脚部、３０´…ステーの脚部、Ａ…開口部、Ｂ…挿通部。
【図１】
2007195768.tif 000003
【図２】
2007195768.tif 000004
【図３】
2007195768.tif 000005
【図４】
2007195768.tif 000006